(57)【特許請求の範囲】
【請求項１】
紙幣の真贋及び紙幣状態を鑑別する鑑別手段と、
前記鑑別手段によりリジェクト紙幣と鑑別された紙幣を収納するリジェクト紙幣収納手段と、
前記リジェクト紙幣収納手段に収納される紙幣毎の紙幣状態を格納する紙幣状態格納手段と、
前記鑑別手段による鑑別の結果に基づいて、前記リジェクト紙幣収納手段に収納される紙幣毎の紙幣状態を前記紙幣状態格納手段に記録する紙幣状態記録手段であって、前記鑑別手段により不良券であると鑑別された紙幣について、当該紙幣が不良券であることが特定される紙幣状態を前記紙幣状態格納手段に記録する紙幣状態記録手段と、
前記紙幣状態格納手段を参照して前記リジェクト紙幣収納手段に収納された不良券の前後の紙幣の紙幣状態を表示する表示手段と、を含む
ことを特徴とする紙幣取扱装置。
【請求項２】
請求項１に記載の紙幣取扱装置において、さらに、
前記紙幣状態格納手段に格納されている、前記リジェクト紙幣収納手段に収納された不良券の紙幣状態を補正する補正手段を含む
ことを特徴とする紙幣取扱装置。
【請求項３】
請求項２に記載の紙幣取扱装置において、
前記補正手段は、前記紙幣取扱装置の係員による紙幣状態の入力に従って、前記紙幣状態格納手段に格納されている、前記リジェクト紙幣収納手段に収納された不良券の紙幣状態を補正する
ことを特徴とする紙幣取扱装置。
【請求項４】
請求項２に記載の紙幣取扱装置において、
前記補正手段は、前記リジェクト紙幣収納手段に収納された紙幣を鑑別し直した結果に基づいて、前記紙幣状態格納手段に格納されている、前記リジェクト紙幣収納手段に収納された不良券の紙幣状態を補正する
ことを特徴とする紙幣取扱装置。
【請求項５】
請求項１乃至請求項４のいずれか１項に記載の紙幣取扱装置において、
前記紙幣状態格納手段に格納される紙幣の紙幣状態により、当該紙幣が不良券であるか否かが特定され、さらに、不良券でない場合には、当該紙幣の金種、方向、及び、表裏が特定される
ことを特徴とする紙幣取扱装置。
【発明の詳細な説明】
【技術分野】
【０００１】
本発明は、ＡＴＭ（Automatic Teller Machine）などの紙幣を取り扱う紙幣取扱装置に関する。
【背景技術】
【０００２】
ＡＴＭにおける紙幣の入出金では、ＡＴＭに設けられた鑑別部による紙幣の真贋の鑑別が行われているが、例えば、紙幣が複数枚重なって鑑別部に搬送されてきた場合や鑑別部に対して斜めになって搬送されてきた場合など、鑑別部で紙幣の真贋を鑑別することができない場合がある。この様な場合に生じる鑑別できなかった紙幣は、不良券（不良紙幣ともいう。）と呼ばれている。
【０００３】
紙幣をＡＴＭから出金する際に生じた不良券は、出金されずにリジェクトボックスに収納される。このような不良券の処理技術は、例えば、特許文献１などで開示されており、一般的に使用されている技術である。
【０００４】
なお、鑑別は正常に行われたが紙幣の一部が破損して流通させるには不適当と判断された紙幣（以降、損券と記す。）や、ＡＴＭに入金された不良券でも損券でもない正常券であるが出金に使用されない紙幣（例えば、二千円札や５千円札）も、不良券とともにリジェクトボックスに収納されるのが通常である。
【０００５】
一方、正常券のうちの千円札や一万円札は、入出金に使用される紙幣を収納するリサイクルボックスであるスタッカやスタッカ内の紙幣量を調整するためのカセットに金種別に収納される。
【先行技術文献】
【特許文献】
【０００６】
【特許文献１】特開平８−２４９５２４号公報
【発明の概要】
【発明が解決しようとする課題】
【０００７】
ところで、ＡＴＭでは、ホストコンピュータが管理しているＡＴＭ内の紙幣の有高（以降、ホスト管理有高と記す。）とＡＴＭが管理しているＡＴＭ内の紙幣の有高（以降、ＡＴＭ管理有高と記す。）を比較照合することにより、紙幣精査が定期的に行われる。
【０００８】
ＡＴＭ管理有高はＡＴＭ自身が管理している、スタッカ、カセット、リジェクトボックスの各々に収納されている金種毎の紙幣の枚数情報から算出されるが、リジェクトボックスに不良券が存在する場合には、リジェクトボックスに収納されている金種毎の紙幣の枚数情報が実際にリジェクトボックス内に収納されている紙幣の金種毎の枚数と一致しない。これは、不良券は鑑別部で金種や枚数が特定されることなくリジェクトボックスに収納されるため、リジェクトボックスに収納されている金種毎の紙幣の枚数情報が不正確となるからである。
【０００９】
従って、リジェクトボックスに不良券が存在する状態で紙幣精査が行われると、ホスト管理有高とＡＴＭ管理有高が一致せず、紙幣精査の結果が精査不一致と判定されてしまう。
【００１０】
この場合、係員がリジェクトボックスに収納されている紙幣を目視で現物確認してリジェクトボックス（ＡＴＭ）内の紙幣の枚数を手計算で算出する。そして、スタッカ、カセットの枚数と合算しＡＴＭ管理有高を求め、ホスト管理有高とを比較照合する手作業による紙幣精査が行われる。
【００１１】
このように、現在のＡＴＭの紙幣精査では、不良券の存在により係員に極めて大きな作業負担が課されている。
以上のような実情を踏まえ、本発明は、係員に課される紙幣精査の作業負担を軽減して紙幣精査時間を短縮し得る紙幣取扱装置の技術を提供することを目的とする。
【課題を解決するための手段】
【００１２】
本発明の一態様は、紙幣の真贋及び紙幣状態を鑑別する鑑別手段と、前記鑑別手段によりリジェクト紙幣と鑑別された紙幣を収納するリジェクト紙幣収納手段と、前記リジェクト紙幣収納手段に収納される紙幣毎の紙幣状態を格納する紙幣状態格納手段と、前記鑑別手段による鑑別の結果に基づいて、前記リジェクト紙幣収納手段に収納される紙幣毎の紙幣状態を前記紙幣状態格納手段に記録する紙幣状態記録手段であって、前記鑑別手段により不良券であると鑑別された紙幣について、当該紙幣が不良券であることが特定される紙幣状態を前記紙幣状態格納手段に記録する紙幣状態記録手段と、前記紙幣状態格納手段を参照して前記リジェクト紙幣収納手段に収納された不良券の前後の紙幣の紙幣状態を表示する表示手段と、を含む紙幣取扱装置を提供する。
【発明の効果】
【００１３】
本発明によれば、係員に課される紙幣精査の作業負担を軽減して紙幣精査時間を短縮し得る紙幣取扱装置の技術を提供することができる。
【図面の簡単な説明】
【００１４】
【図１】本発明の一実施形態に係る紙幣取扱装置の概略構成図である。
【図２】図１に示される紙幣入出金部の概略構成図である。
【図３】図２に示されるリジェクトボックスへの紙幣の収納方法を説明するための図である。
【図４】図１に示される紙幣取扱装置の機能ブロック図である。
【図５】図１に示される紙幣取扱装置で行われる紙幣収納処理のフローチャートである。
【図６】図１に示される紙幣取扱装置に設けられた紙幣状態判別テーブルを例示した図である。
【図７】図１に示される紙幣取扱装置に設けられた紙幣状態格納テーブルを例示した図である。
【図８】図１に示される紙幣取扱装置に表示される金種別枚数表示画面を例示した図である。
【図９】図１に示される紙幣取扱装置に表示される１件目の不良券に関する不良券表示画面を例示した図である。
【図１０】紙幣状態判別テーブルと紙幣状態格納テーブルとから生成される図９に例示される不良券表示画面を生成するためのデータを例示した図である。
【図１１】図２に示されるリジェクトボックス内の紙幣の様子を例示した図である。
【図１２】図１に示される紙幣取扱装置に表示される２件目の不良券に関する不良券表示画面を例示した図である。
【図１３】紙幣状態判別テーブルと紙幣状態格納テーブルとから生成される図１２に例示される不良券表示画面を生成するためのデータを例示した図である。
【図１４】図２に示されるリジェクトボックス内の紙幣の様子を例示した図である。
【図１５】係員の目視確認により特定された図２に示されるリジェクトボックス内の不良券を例示した図である。
【図１６】図１に示される紙幣取扱装置に表示される１件目の不良券に関する不良券金種／枚数補正画面を例示した図である。
【図１７】不良券補正後の、図１に示される紙幣取扱装置に表示される１件目の不良券に関する不良券表示画面を例示した図である。
【図１８】図１に示される紙幣取扱装置に表示される２件目の不良券に関する不良券金種／枚数補正画面を例示した図である。
【図１９】不良券補正後の、図１に示される紙幣取扱装置に表示される２件目の不良券に関する不良券表示画面を例示した図である。
【図２０】不良券補正後の、図１に示される紙幣取扱装置に表示される金種別枚数表示画面を例示した図である。
【図２１】不良券補正後の、図１に示される紙幣取扱装置に設けられた紙幣状態格納テーブルを例示した図である。
【図２２】図１に示される紙幣取扱装置に表示される係員処理選択画面を例示した図である。
【図２３】図１に示される紙幣取扱装置に表示されるリジェクトボックス選択画面を例示した図である。
【図２４】図１に示される紙幣取扱装置に表示されるリジェクト紙幣抜取り確認画面を例示した図である。
【図２５】図１に示される紙幣取扱装置に表示されるリジェクト紙幣挿入画面を例示した図である。
【図２６】図１に示される紙幣取扱装置に表示されるリジェクト紙幣計数中画面を例示した図である。
【図２７】図１に示される紙幣取扱装置に設けられたリジェクト紙幣再鑑別結果テーブルを例示した図である。
【図２８】図１に示される紙幣取扱装置で行われる紙幣パターン切り出し処理のフローチャートである。
【図２９】図１に示される紙幣取扱装置に設けられた紙幣状態格納テーブルを例示した図である。
【図３０】図２９に例示される紙幣状態格納テーブルから抽出された格納状態一致パターン１を例示した図である。
【図３１】図２９に例示される紙幣状態格納テーブルから抽出された格納状態一致パターン２テーブルを例示した図である。
【図３２】図２９に例示される紙幣状態格納テーブルから抽出された格納状態一致パターン３テーブルを例示した図である。
【図３３】図１に示される紙幣取扱装置に設けられた再挿入紙幣変換テーブルを例示した図である。
【図３４】図１に示される紙幣取扱装置に設けられた表挿入格納状態一致パターン１テーブルを例示した図である。
【図３５】図１に示される紙幣取扱装置に設けられた表挿入格納状態一致パターン２テーブルを例示した図である。
【図３６】図１に示される紙幣取扱装置に設けられた表挿入格納状態一致パターン３テーブルを例示した図である。
【図３７】図１に示される紙幣取扱装置に設けられた裏挿入格納状態一致パターン１テーブルを例示した図である。
【図３８】図１に示される紙幣取扱装置に設けられた裏挿入格納状態一致パターン２テーブルを例示した図である。
【図３９】図１に示される紙幣取扱装置に設けられた裏挿入格納状態一致パターン３テーブルを例示した図である。
【図４０】図１に示される紙幣取扱装置で行われる格納状態一致パターン比較処理のフローチャートである。
【図４１】図１に示される紙幣取扱装置に表示されるリジェクト紙幣補正枚数確認画面を例示した図である。
【図４２】図１に示される紙幣取扱装置に表示される紙幣精査失敗確認画面を例示した図である。
【図４３】図１に示される紙幣取扱装置に表示される係員紙幣精査継続選択画面を例示した図である。
【図４４】図１に示される紙幣取扱装置に表示される紙幣返却画面を例示した図である。
【図４５】図１に示される紙幣取扱装置に表示される第２の紙幣精査失敗確認画面を例示した図である。
【発明を実施するための形態】
【００１５】
図１は、本発明の一実施形態に係る紙幣取扱装置の概略構成図である。図２は、図１に示される紙幣入出金部の概略構成図である。図１及び図２を参照しながら、紙幣取扱装置１０の構成について説明する。
【００１６】
図１に例示されるように、紙幣取扱装置１０は、制御部２０と、停電時に制御部２０を介して紙幣取扱装置１０の各部に電力を供給する無停電電源装置（ＵＰＳ：Uninterruptible Power Supply）である電源３０と、係員／顧客操作部（以降、ＵＯＰと記す。）４０と、カード読取り印字部５０と、通帳印字部６０と、紙幣入出金部７０と、硬貨入出金部８０と、を備えている。
【００１７】
さらに、紙幣取扱装置１０は、ＬＡＮを介して、ルータ／ＴＣ／ＧＷ９０と、監視システム１００と、電源１２０を備えたセカンドディスプレイ１１０と、ネットワークカメラ１３０と、モデム１４０に接続されている。なお、ルータ／ＴＣ／ＧＷ９０及びモデム１４０は、さらに専用線などのネットワークを介して、図示しないホストコンピュータに接続されている。
【００１８】
制御部２０は、紙幣取扱装置１０の各部の動作を制御する機能を有していて、ルータ／ＴＣ／ＧＷ９０を介してホストコンピュータとホスト管理有高等のデータのやり取りを制御するホスト回線制御部２１と、監視システム１００とのデータのやり取りを制御する監視系通信制御部２２と、外部機器（ここでは、液晶ディスプレイ（以降、ＬＣＤと記す。）１１１と制御部１１２を備えたセカンドディスプレイ１１０と、ネットワークカメラ１３０とが例示されている。）を制御する外部機器制御部２３と、ＵＯＰ４０を制御するＵＯＰ制御部２４と、を備えている。
【００１９】
さらに、制御部２０は、ＵＳＢインターフェース２５と、ＨＵＢ２６と、ＨＤＤ２７ａと光学ドライブ２７ｂを備えた補助記憶部２７と、モデム１４０に接続されたホスト回線部２８と、を備えている。なお、ＨＵＢ２６は、カード読取り印字部５０、通帳印字部６０、紙幣入出金部７０、硬貨入出金部８０を電気的に相互に接続するように、構成されている。
【００２０】
ＵＯＰ４０は、顧客や係員とのインターフェースとして機能するものであり、顧客や係員に対して取引画面や管理画面を提供する液晶ディスプレイ（ＬＣＤ）４１と、ＬＣＤ４１に重ねて配置された顧客や係員の操作を受け付けるタッチパネル４２と、音声を出力するスピーカ４３と、顧客の存在を検知する顧客センサ４４と、紙幣取扱装置１０で取り扱い可能な取引を表示する取扱い表示部４５と、ハンドセット４６と、紙幣取扱装置１０を使用する顧客や係員の様子を撮影するカメラ４７と、テンキー４８とを備えている。
【００２１】
カード読取り印字部５０は、カードの磁気ストライプやＩＣチップに対する読み書き、カード表面のイメージの読み取りなどを行う役割を担い、通帳印字部６０は、通帳の磁気ストライプに対する読み書き、通帳への印字などを行う役割を担っている。また、紙幣入出金部７０、硬貨入出金部８０は、それぞれ、紙幣、硬貨の入出金を処理する役割を担っている。
【００２２】
紙幣入出金部７０は、より詳細には、図２に例示されるように、紙幣の真贋及び紙幣状態を鑑別する鑑別部７２と、処理が確定されるまでの間、紙幣を一時的に保留する一時保留部７３と、顧客が取り忘れた紙幣を収納する取忘ボックス７４と、リジェクトボックス７５と、入出金に使用される紙幣が収納されるスタッカ（千円札を収納するスタッカ７６、一万円札を収納するスタッカ７７ａ及びスタッカ７７ｂ）と、スタッカ内の紙幣量を調整するカセット（カセット７８、カセット７９）とを備えている。
【００２３】
スタッカ（スタッカ７６、スタッカ７７ａ、スタッカ７７ｂ）がリサイクルボックスとして機能するのに対して、リジェクトボックス７５は、リサイクルされない紙幣が収納される。具体的には、鑑別部７２で鑑別できなかった紙幣である不良券、鑑別は正常に行われたが紙幣の一部が破損して流通させるには不適当と判断された紙幣である損券、ＡＴＭに入金された不良券でも損券でもない正常券であるが出金に使用されない紙幣（例えば、二千円札や５千円札）が、リジェクトボックス７５に収納される。なお、以降では、リジェクトボックスに収納されるこれらの紙幣をリジェクト紙幣と総称して記す。
【００２４】
リジェクトボックス７５では、図３に例示されるように、紙幣はリジェクトボックス７５の底部から上部に向かって順に積層される。このため、図３に示されるように、例えば、紙幣Ｂ１、紙幣Ｂ２、紙幣Ｂ３が順にリジェクトボックス７５に搬送されると、リジェクトボックス７５には、底部から上部に向かって紙幣Ｂ１、紙幣Ｂ２、紙幣Ｂ３の順に紙幣が積層されて収納されることになる。
【００２５】
図４は、図１に示される紙幣取扱装置の機能ブロック図である。図４を参照しながら、紙幣取扱装置１０の機能について説明する。
図４に例示されるように、自動取引装置１０は、紙幣の真贋及び紙幣状態を鑑別する鑑別手段１１と、リジェクト紙幣を収納するリジェクト紙幣収納手段１２と、リジェクト紙幣収納手段１２に収納される紙幣毎の紙幣状態を格納する紙幣状態格納手段１３と、鑑別手段１１による鑑別の結果に基づいてリジェクト紙幣収納手段１２に収納される紙幣毎の紙幣状態を紙幣状態格納手段１３に記録する紙幣状態記録手段１４と、紙幣状態格納手段１３を参照してリジェクト紙幣収納手段１２に収納された不良券の前後の紙幣の紙幣状態を表示する表示手段１５と、紙幣状態格納手段１３に格納されている、リジェクト紙幣収納手段１２に収納された不良券の紙幣状態を補正する補正手段１６と、紙幣取扱装置の係員による紙幣状態の入力を受け付ける入力手段１７と、を備えている。
【００２６】
ここで、図４における鑑別手段１１、リジェクト紙幣収納手段１２は、例えば、それぞれ、図２における鑑別部７２、リジェクトボックス７５によって実現される。また、図４における紙幣状態格納手段１３、紙幣状態記録手段１４、表示手段１５、補正手段１６は、例えば、それぞれ、図１における、後述する紙幣状態格納テーブルを有する補助記憶部２７、制御部２０、ＬＣＤ４１によって実現される。さらに、図４における入力手段１７は、例えば、図１におけるタッチパネル４２及びテンキー４８によって実現される。
【００２７】
紙幣取扱装置１０では、搬送された紙幣が鑑別手段１１によりリジェクト紙幣であると判断された場合には、その紙幣をリジェクト紙幣収納手段１２が収納するとともに、紙幣状態記録手段１４が鑑別手段１１による鑑別の結果に基づいてリジェクト紙幣収納手段１２に収納される紙幣毎の紙幣状態を紙幣状態格納手段１３に記録する。その後、紙幣取扱装置１０では、係員の要求に応じて、表示手段１５が紙幣状態格納手段１３を参照してリジェクト紙幣収納手段１２に収納された不良券の前後の紙幣の紙幣状態を表示する。
【００２８】
このように、紙幣取扱装置１０は、表示手段１５にリジェクト紙幣収納手段１２に収納された不良券の前後の紙幣の状態を表示させる機能を有している。
【００２９】
また、紙幣取扱装置１０では、補正手段１６が、紙幣取扱装置１０の係員による紙幣状態の入力に従って、または、リジェクト紙幣収納手段１２に収納された紙幣を鑑別手段１１で鑑別し直した結果に基づいて、紙幣状態格納手段１３に格納された不良券の紙幣状態を補正する。
【００３０】
このように、紙幣取扱装置１０は、紙幣状態格納手段１３に格納されている、リジェクト紙幣収納手段１２に収納された不良券の紙幣状態を補正する機能を有している。
【００３１】
図５は、図１に示される紙幣取扱装置で行われる紙幣収納処理のフローチャートである。図６は、図１に示される紙幣取扱装置に設けられた紙幣状態判別テーブルを例示した図である。図７は、図１に示される紙幣取扱装置に設けられた紙幣状態格納テーブルを例示した図である。図５から図７を参照しながら、紙幣取扱装置１０で行われる紙幣収納処理について、詳細に説明する。なお、図６に例示される紙幣状態判別テーブル及び図７に例示される紙幣状態格納テーブルは、補助記憶部２７に設けられている。
【００３２】
まず、紙幣取扱装置１０が起動すると、制御部２０は、初期化処理を実行してリジェクトボックス７５に収納されている紙幣の予想枚数Ｎを０に設定する（ステップＳ１）。その後、紙幣が鑑別部７２に搬送されると、鑑別部７２は紙幣鑑別処理を実行して（ステップＳ２）、制御部２０に鑑別の結果を通知する。制御部２０は、鑑別部７２から通知された鑑別の結果に基づいて、紙幣の収納先がリジェクトボックス７５であるか否かを判断する（ステップＳ３）。
【００３３】
紙幣の収納先がリジェクトボックス７５でない場合、つまり、紙幣が正常券であってリサイクルされる一万円札または千円札である場合には、制御部２０は紙幣をスタッカ（スタッカ７６、スタッカ７７ａ、スタッカ７７ｂ）に搬送して、鑑別部７２が次の紙幣について紙幣鑑別処理を実行する（ステップＳ２）。
【００３４】
一方、紙幣の収納先がリジェクトボックス７５である場合には、制御部２０は、鑑別部７２から通知された鑑別の結果から、紙幣の金種を識別する金種情報、紙幣の表裏を識別する表裏情報（以降、状態１と記す。）、紙幣の順方向と逆方向とを識別する方向情報（以降、状態２と記す。）を取得する（ステップＳ４）。なお、金種情報としては、“一万円”、“五千円”、“二千円”、“千円”の４金種に、鑑別不能を示す“不良”を加えた５種類が存在する。
【００３５】
その後、制御部２０は、ステップＳ４で得られた金種情報、表裏情報、方向情報をキーにして、補助記憶部２７に設けられた紙幣状態判別テーブルを検索して、キーに対応する紙幣状態を示す番号を取得する（ステップＳ５）。
【００３６】
ここで、紙幣状態判別テーブルは、図６に例示されるように、金種、紙幣の表裏を示す状態１、紙幣の方向を示す状態２、紙幣状態の計４つの欄から構成されている。紙幣状態判別テーブルには、不良を除く金種（４種類）と状態１（２種類）と状態２（２種類）の組み合わせにより得られる１６種類に、不良を示す１種類を加えた計１７種類の紙幣状態を示す１７レコードのデータが存在している。なお、紙幣状態の欄に格納された番号は、紙幣の金種と状態１と状態２とを一意に特定する番号である。
【００３７】
紙幣状態を示す番号を取得すると、制御部２０は、相対位置の欄が予想枚数Ｎに１を加えたＮ＋１であり、紙幣状態の欄がステップＳ５で得られた紙幣状態を示す番号であるレコードを、図７に例示される紙幣状態格納テーブルに追加する（ステップＳ６）。例えば、最初にリジェクトボックス７５に収納されるリジェクト紙幣が裏面で且つ逆方向に収納される千円札である場合には、紙幣状態格納テーブルに、相対位置の欄が１（＝Ｎ＋１）であり、紙幣状態の欄が１６であるレコードが追加される。
【００３８】
ここで、紙幣状態格納テーブルは、図７に例示されるように、相対位置と紙幣状態の２つの欄から構成されている。なお、相対位置の欄に格納された値は、リジェクトボックス７５の底部から数えた場合の各レコードに対応する紙幣の予想位置を示している。従って、リジェクトボックス７５の上部から数えた場合の各レコードに対応する紙幣の予想位置は、図７においてテーブル外に示されているように、相対位置が大きいほど小さくなる。
【００３９】
レコードの追加が完了すると、制御部２０がリジェクトボックス７５に収納されている紙幣の予想枚数Ｎを１だけインクリメントし（ステップＳ７）、鑑別部７２が次の紙幣について紙幣鑑別処理を実行する（ステップＳ２）。
以上の処理を繰り返すことで、紙幣取扱装置１０は、リジェクトボックス７５内に収納された紙幣の紙幣状態を紙幣状態格納テーブルに格納して管理することができる。
【００４０】
図８は、図１に示される紙幣取扱装置に表示される金種別枚数表示画面を例示した図である。図９は、図１に示される紙幣取扱装置に表示される１件目の不良券に関する不良券表示画面を例示した図である。図１０は、紙幣状態判別テーブルと紙幣状態格納テーブルとから生成される図９に例示される不良券表示画面を生成するためのデータを例示した図である。図１１は、図２に示されるリジェクトボックス内の紙幣の様子を例示した図である。図１２は、図１に示される紙幣取扱装置に表示される２件目の不良券に関する不良券表示画面を例示した図である。図１３は、紙幣状態判別テーブルと紙幣状態格納テーブルとから生成される図１２に例示される不良券表示画面を生成するためのデータを例示した図である。図１４は、図２に示されるリジェクトボックス内の紙幣の様子を例示した図である。図１５は、係員の目視確認により特定された図２に示されるリジェクトボックス内の不良券を例示した図である。図８から図１５を参照しながら、紙幣取扱装置１０で行われる不良券の前後に存在する紙幣の表示処理と、係員により行われる不良紙幣の特定方法について、紙幣格納状態テーブルに図７に示されるデータが記録されている場合を例に、詳細に説明する。
【００４１】
まず、係員がタッチパネル４２を操作することにより、制御部２０はＬＣＤ４１に図８に例示されるような金種別枚数表示画面を表示させる。係員はこのような金種別枚数表示画面を確認することで不良券の存在を把握することができる。なお、図８では、リジェクトボックスが複数ある場合の例が示されている。
【００４２】
係員が金種別枚数表示画面に表示された不良紙幣確認ボタンを押下すると、制御部２０は、図６及び図７に例示される紙幣状態判別テーブルと紙幣状態格納テーブルを検索して、１件目の不良券の前後にある所定枚数の紙幣の紙幣状態とそれらの紙幣の並びを示す図１０に例示されるようなデータを生成する。さらに、制御部２０は、生成されたデータの内容を視覚的に示すイメージデータを生成して、そのイメージデータを用いて図９に例示されるような不良券の前後の紙幣の紙幣状態とそれらの紙幣の並びを視覚的に示した不良券表示画面を生成して、ＬＣＤ４１に表示させる。なお、ここで、１件目の不良券とは、リジェクトボックス７５内にある複数の不良券のうちの最もリジェクトボックス７５の上部に存在する不良券のことである。
【００４３】
その後、係員は、図１１に例示されるように、リジェクトボックス７５内にある現物の紙幣を目視で確認する。この際、画面に表示された不良券の前後の紙幣の紙幣状態と並びがリジェクトボックス７５内にある現物の紙幣の紙幣状態と並びに一致することを確認することにより、不良券を特定する。
【００４４】
さらに、係員が図９に例示される不良券表示画面の次へボタンを押下すると、制御部２０は、２件目の不良券の前後にある所定枚数の紙幣の紙幣状態とそれらの紙幣の並びを示す図１３に例示されるようなデータを生成する。さらに、制御部２０は、生成されたデータに基づいて、図１２に例示されるような２件目の不良券の前後の紙幣の紙幣状態とそれらの紙幣の並びを視覚的に示した不良券表示画面を、ＬＣＤ４１に表示させる。
【００４５】
その後、係員は、図１４に例示されるように、リジェクトボックス７５内にある現物の紙幣を目視で確認する。この際、画面に表示された不良券の前後の紙幣の紙幣状態と並びがリジェクトボックス７５内にある現物の紙幣の紙幣状態と並びに一致することを確認する作業を行う。不良券の前側に関しては画面の表示と現物が一致しているが、不良券の後側に関しては一致しない場合には、不良券は複数枚の紙幣から構成されていると考えられる。このため、このような場合には、係員は、画面の表示と現物が一致するまで、比較対象とする現物紙幣の位置を後側にずらしながら画面表示と現物の紙幣を比較する。図１４の例では、比較対象とする現物紙幣の位置を紙幣一枚分だけ後方にずらすことで画面の表示と現物が一致していることから、係員は、不良券が１４枚目と１５枚目の紙幣から構成されていることを特定することができる。
【００４６】
以上のような不良券表示画面の表示と現物紙幣との比較を繰り返すことにより、図１５に例示されるように、係員はリジェクトボックス７５内のすべての不良券を特定することができる。
【００４７】
図１６は、図１に示される紙幣取扱装置に表示される１件目の不良券に関する不良券金種／枚数補正画面を例示した図である。図１７は、不良券補正後の、図１に示される紙幣取扱装置に表示される１件目の不良券に関する不良券表示画面を例示した図である。図１８は、図１に示される紙幣取扱装置に表示される２件目の不良券に関する不良券金種／枚数補正画面を例示した図である。図１９は、不良券補正後の、図１に示される紙幣取扱装置に表示される２件目の不良券に関する不良券表示画面を例示した図である。図２０は、不良券補正後の、図１に示される紙幣取扱装置に表示される金種別枚数表示画面を例示した図である。図２１は、不良券補正後の、図１に示される紙幣取扱装置に設けられた紙幣状態格納テーブルを例示した図である。図１６から図２１を参照しながら、紙幣取扱装置１０で行われる、紙幣状態格納テーブルに格納されている不良券の紙幣状態を補正する処理について、紙幣格納状態テーブルに図７に示されるデータが記録されている場合を例に、詳細に説明する。
【００４８】
係員が図９に例示される１件目の不良券に関する不良券表示画面の金種枚数補正ボタンを押下すると、制御部２０は図１６に例示されるような１件目の不良券に関する不良券金種／枚数補正画面をＬＣＤ４１に表示させる。
【００４９】
係員は、不良券金種／枚数補正画面で、上述した比較により特定された１件目の不良券の紙幣状態（ここでは、金種と枚数）を入力する。例えば、１件目の不良券が一万円札１枚で構成されていることが特定されている場合であれば、画面中の「一万円札０枚」の横に配置された入力ボタンを押下し、テンキー群の１ボタンを押下する。そして、最後に入力完了ボタンを押下する。なお、図１６では、不良券金種／枚数補正画面では、紙幣状態のうち、金種と枚数のみ入力する例を示したが、さらに、紙幣の表裏や方向も入力されることが望ましい。
【００５０】
入力完了ボタンが押下されると、制御部２０は、係員による不良券金種／枚数補正画面での不良券の紙幣状態の入力に従って、紙幣状態格納テーブルに格納されている１件目の不良券の紙幣状態を補正して更新する。具体的には、例えば、相対位置７のレコードの紙幣状態を１７から１に更新する。また、上述したＡＴＭ管理有高の基礎となるデータが、紙幣状態格納テーブルとは別に管理されている場合には、その基礎となるデータも更新する。その後、制御部２０は、不良券が表示される位置に補正された紙幣状態の紙幣が表示された、図１７に例示されるような不良券表示画面をＬＣＤ４１に表示させる。
【００５１】
係員が図１７に例示される不良券表示画面の次へボタンを押下し、２件目の不良券に関する不良券表示画面の金種枚数補正ボタンを押下すると、制御部２０はＬＣＤ４１に図１８に例示されるような２件目の不良券に関する不良券金種／枚数補正画面を表示させる。
【００５２】
係員は、不良券金種／枚数補正画面で、上述した比較により特定された２件目の不良券の紙幣状態（ここでは、金種と枚数）を入力する。例えば、２件目の不良券が千円札１枚と五千円札１枚とで構成されていることが特定されている場合であれば、入力ボタンとテンキーを使って五千円札１枚と千円札１枚を入力する。そして、最後に入力完了ボタンを押下する。
【００５３】
入力完了ボタンが押下されると、制御部２０は、係員による不良券金種／枚数補正画面での不良券の紙幣状態の入力に従って、紙幣状態格納テーブルに格納されている２件目の不良券の紙幣状態を補正して更新する。具体的には、例えば、相対位置２から１５までのレコードの相対位置を１だけインクリメントした値に更新し、相対位置が２で紙幣状態が１３のレコードを追加し、相対位置３のレコードの紙幣状態を１７から５に更新する。また、上述したＡＴＭ管理有高の基礎となるデータが、紙幣状態格納テーブルとは別に管理されている場合には、その基礎となるデータも更新する。その後、制御部２０は、不良券が表示される位置に補正された紙幣状態の紙幣が表示された、図１９に例示されるような不良券表示画面をＬＣＤ４１に表示させる。なお、不良券が二枚の紙幣で構成されていたため、図１９では、図１２では１５枚目に表示されていた千円札が、１６枚目にずれて表示される。
【００５４】
以上のような補正処理をすべての不良券について繰り返し行うことにより、紙幣状態格納テーブルに格納されている不良券の紙幣状態を補正することができる。すべての不良券の紙幣状態の入力が完了すると、制御部２０は、補正後のデータに基づいて、図２０に例示されるような金種別枚数表示画面を、ＬＣＤ４１に表示させる。なお、図２１は、補正後の紙幣状態格納テーブルのデータを示している。
【００５５】
上述したように、本実施例に係る紙幣取扱装置１０によれば、リジェクトボックス７５内に収納された紙幣の紙幣状態を紙幣状態格納テーブルに記録して管理することができる。このため、不良券がリジェクトボックス７５のどこに存在するか、不良券の前後の紙幣はどのような状態でリジェクトボックス７５内に収納されているか、といった情報を表示手段に表示することができる。これにより、表示手段に表示されたこれらの情報を参照することで、係員は現物確認作業において不良券を容易に特定することが可能となる。その結果、係員に課される紙幣精査の作業負担を軽減して紙幣精査時間を短縮することができる。
【００５６】
また、本実施例に係る紙幣取扱装置１０によれば、現物確認により特定した不良券の紙幣状態に基づいて、紙幣状態格納テーブルに格納されている不良券の紙幣状態を補正することができる。また、ＡＴＭ管理有高の基礎となるデータが紙幣状態格納テーブルとは別に管理されている場合には、その基礎となるデータも併せて補正することができる。従って、定期的に行われる紙幣精査の前にこのような補正処理を行うことで、紙幣精査が精査不一致で終了する回数を大幅に減少させることができる。その結果、係員に課される紙幣精査の作業負担を軽減して紙幣精査時間を短縮することができる。
【００５７】
以上では、係員による現物確認により不良券を特定して、紙幣状態格納テーブルに格納されている不良券の紙幣状態やＡＴＭ管理有高の基礎となるデータを補正する例を示したが、紙幣状態格納テーブルに格納されている不良券の紙幣状態やＡＴＭ管理有高の基礎となるデータは別の方法により補正されてもよい。以下、係員による現物確認を必要とすることなく上述したデータを補正する方法の一例について、図２２から図４５を参照しながら、説明する。
【００５８】
まず、係員がＬＣＤ４１に表示されている、図２２に例示される係員処理選択画面のリジェクト精査ボタンを押下すると、制御部２０が図２３に例示されるリジェクトボックス選択画面をＬＣＤ４１に表示させる。リジェクトボックス選択画面では、各リジェクトボックスに対応するリジェクトボックスボタンが設けられていて、係員が任意のリジェクトボックスボタンを押下することで、制御部２０が図２４に例示されるリジェクト紙幣抜取り確認画面をＬＣＤ４１に表示させる。なお、リジェクト精査ボタンは、すべてのリジェクトボックスがすでに精査済みである場合には非表示または無効化されていてもよく、また、リジェクトボックスボタンも、対応するリジェクトボックスがすでに精査済みの場合には、非表示または無効化されていてもよい。
【００５９】
係員がリジェクト紙幣抜取り確認画面の指示に従ってリジェクトボックスから紙幣を抜き取って確認ボタンを押下すると、制御部２０は図２５に例示されるリジェクト紙幣挿入画面をＬＣＤ４１に表示させる。リジェクト紙幣挿入画面では、例えば、紙幣の挿入案内のアニメーションが表示されてもよい。
【００６０】
係員がリジェクト紙幣挿入画面の指示に従って、リジェクトボックスから抜き取った紙幣を紙幣投入口から挿入すると、制御部２０は図２６に例示されるリジェクト紙幣計数中画面をＬＣＤ４１に表示させる。
【００６１】
リジェクト紙幣が投入されると、鑑別部７２がこれらの紙幣を再鑑別し、鑑別後はすべての紙幣を強制的に再びリジェクトボックス７５に搬送する。また、制御部２０は、鑑別部７２による鑑別結果を補助記憶部２７に設けられたリジェクト紙幣再鑑別結果テーブルに記録する。図２７は、リジェクト紙幣の再鑑別後のリジェクト紙幣再鑑別結果テーブルを例示している。図２７に例示されるように、リジェクト紙幣再鑑別結果テーブルの構成は、紙幣状態格納テーブルと同様である。
【００６２】
さらに、制御部２０は、図２８に例示される処理フローに従って、紙幣状態格納テーブルのデータから不良券以外の紙幣の紙幣状態とその並びを格納状態一致パターンとして抽出する、格納状態一致パターン抽出処理を行う。
【００６３】
具体的には、まず、制御部２０は、初期化処理を実行して格納状態一致パターンの番号ｍを１に、格納状態一致パターンｍのレコード番号Ｘを１に、設定する（ステップＳ１１）。次に、制御部２０は、図２９に例示される紙幣状態格納テーブルから相対位置がＮのレコードの紙幣状態を取得する（ステップＳ１２）。なお、パラメータＮには、予め紙幣状態格納テーブルのレコード数が設定されているものとする。
【００６４】
制御部２０は、取得した紙幣状態が“１７”（つまり、不良券）か否かを判断する（ステップＳ３）。紙幣状態が“１７”でない場合には、制御部２０は、格納状態一致パターンｍのテーブルに、相対位置の欄がＸで、紙幣状態の欄が取得した紙幣状態であるレコードを追加し（ステップＳ１４）、レコード番号Ｘを１だけインクリメントする（ステップＳ１５）。一方、紙幣状態が“１７”である場合には、格納状態一致パターンの番号ｍを１だけインクリメントして設定し、格納状態一致パターンｍのレコード番号Ｘを１に設定する（ステップＳ１６）。
【００６５】
その後、制御部２０は、パラメータＮを１だけデクリメントして（ステップＳ１７）、パラメータＮが０になっているか否かを判断する（ステップＳ１８）。パラメータＮが０になっている場合には、制御部２０は、格納状態一致パターン抽出処理を終了し、パラメータＮが０になっていない場合には、ステップＳ１２から同様の処理を繰り返す。
【００６６】
以上の処理を繰り返すことにより、図２９に例示される紙幣状態格納テーブルの各レコードが順番に読み込まれて、図３０に例示される格納状態一致パターン１、図３１に例示される格納状態一致パターン２、図３２に例示される格納状態一致パターン３が、それぞれに対応するテーブルに抽出される。なお、図２９の網掛け部分は、それぞれ、抽出された格納状態一致パターンに対応する部分を示している。
【００６７】
格納状態一致パターン抽出処理が終了すると、制御部２０は、図３３に例示される再挿入紙幣変換テーブルを用いて、格納状態一致パターンを変換したパターンを生成するパターン変換処理を行う。
【００６８】
具体的には、制御部２０は、リジェクト紙幣がリジェクトボックス７５から表裏を変えることなく投入口に投入された場合に、再鑑別結果から得られるパターンとして、図３４、図３５、図３６に例示される表挿入格納状態一致パターン１、表挿入格納状態一致パターン２、表挿入格納状態一致パターン３を生成する。なお、各パターンの紙幣状態の欄のデータは、表裏も方向も変えずに投入した場合に得られるパターンを示し、各パターンの逆方向の欄のデータは、表裏は変えないが方向を変えて投入した場合に得られるパターンを示している。
【００６９】
また、制御部２０は、リジェクト紙幣がリジェクトボックス７５から表裏を変えて投入口に投入した場合に、再鑑別結果から得られるパターンとして、図３７、図３８、図３９に例示される裏挿入格納状態一致パターン１、裏挿入格納状態一致パターン２、裏挿入格納状態一致パターン３を生成する。なお、各パターンの紙幣状態の欄のデータは、表裏も方向も変えずに投入した場合に得られるパターンを示し、各パターンの裏順方向の欄のデータは、表裏を変えて方向を変えずに投入した場合に得られるパターンを示し、各パターンの裏逆方向の欄のデータは、表裏も方向も変えて投入した場合に得られるパターンを示している。
【００７０】
パターン変換処理が終了すると、制御部２０は、図４０に例示される処理フローに従って、紙幣状態格納テーブルのデータとリジェクト紙幣再鑑別結果テーブルのデータを、格納状態一致パターン抽出処理とパターン変換処理により得られたパターンデータを用いて比較する比較処理を行う。
【００７１】
具体的には、まず、制御部２０は、図２７に例示されるリジェクト紙幣再鑑別結果テーブルのデータと図３４から図３６に例示される表挿入格納状態一致パターン１から３の紙幣状態の欄のデータを比較して（ステップＳ２１）、リジェクト紙幣再鑑別結果テーブル中に表挿入格納状態一致パターン１から３の紙幣状態がすべて存在するか否かを判断する（ステップＳ２２）。
【００７２】
ステップＳ２２で存在しないと判断した場合には、制御部２０は、図２７に例示されるリジェクト紙幣再鑑別結果テーブルのデータと図３４から図３６に例示される表挿入格納状態一致パターン１から３の逆方向の欄のデータを比較して（ステップＳ２３）、リジェクト紙幣再鑑別結果テーブル中に表挿入格納状態一致パターン１から３の逆方向の紙幣状態がすべて存在するか否かを判断する（ステップＳ２４）。
【００７３】
ステップＳ２４で存在しないと判断した場合には、制御部２０は、図２７に例示されるリジェクト紙幣再鑑別結果テーブルのデータと図３７から図３９に例示される裏挿入格納状態一致パターン１から３の裏順方向の欄のデータを比較して（ステップＳ２５）、リジェクト紙幣再鑑別結果テーブル中に裏挿入格納状態一致パターン１から３の裏順方向の紙幣状態がすべて存在するか否かを判断する（ステップＳ２６）。
【００７４】
ステップＳ２６で存在しないと判断した場合には、制御部２０は、図２７に例示されるリジェクト紙幣再鑑別結果テーブルのデータと図３７から図３９に例示される裏挿入格納状態一致パターン１から３の裏逆方向の欄のデータを比較して（ステップＳ２７）、リジェクト紙幣再鑑別結果テーブル中に裏挿入格納状態一致パターン１から３の裏逆方向の紙幣状態がすべて存在するか否かを判断する（ステップＳ２８）。
【００７５】
ステップＳ２２、ステップＳ２４、ステップＳ２６、ステップＳ２８のいずれかですべてのパターンの紙幣状態が存在すると判断した場合には、制御部２０は、紙幣状態格納テーブルに格納されている不良券の紙幣状態を、リジェクト紙幣再鑑別結果テーブルのデータに基づいて補正し、さらに、ＡＴＭ管理有高の基礎となるデータが紙幣状態格納テーブルとは別に管理されている場合には、その基礎となるデータも併せて補正する（ステップＳ２９）。紙幣状態格納テーブルに格納されている不良券の紙幣状態を補正する方法としては、例えば、リジェクト紙幣再鑑別結果テーブルのデータで紙幣状態格納テーブルのデータをすべて上書きする方法を採用してもよい。この場合、紙幣状態格納テーブルに格納されている不良券の紙幣状態が補正されるとともに、紙幣状態格納テーブルに格納されている紙幣状態がリジェクトボックス７５に収納されている紙幣の紙幣状態に一致することになる。
【００７６】
ステップＳ２９の補正処理が完了すると、制御部２０は、図４０に示される比較処理を終了し、図４１に例示されるリジェクト紙幣補正枚数確認画面をＬＣＤ４１に表示させる。図４１に例示されるリジェクト紙幣補正枚数確認画面では、補正により、不良券が０枚に修正されて、一万円札、五千円札、千円札がそれぞれ一枚ずつ増加したことが示されている。
【００７７】
一方、制御部２０がステップＳ２８でパターンが存在しないと判断して、図４０に示される比較処理を終了した場合には、制御部２０は、図４２に例示される紙幣精査失敗確認画面をＬＣＤ４１に表示させる。この場合、係員による現物確認による不良券の紙幣状態の補正が必要であるため、その旨を画面上に表示してもよい。
【００７８】
なお、以上では、リジェクト紙幣の再鑑別で不良券が発生しなかった場合について説明したが、再鑑別で不良券が発生した場合には、制御部２０は、上述した格納状態一致パターン抽出処理、パターン変換処理、及び、比較処理を行うことなく、図４３に例示される係員紙幣精査継続選択画面をＬＣＤ４１に表示させる。
【００７９】
係員が係員紙幣精査継続選択画面の再投入ボタンを押下して、もう一度リジェクト紙幣の計数を行うことを望んだ場合には、制御部２０は、図４４に例示される紙幣返却画面をＬＣＤ４１に表示させて、係員による紙幣の再投入を待って再鑑別処理以降の処理を再度繰り返す。
【００８０】
一方、係員が係員紙幣精査継続選択画面の取消ボタンを押下して、精査の中止を望んだ場合には、制御部２０は、図４５に例示される第２の紙幣精査失敗確認画面をＬＣＤ４１に表示させる。この場合、係員による現物確認による不良券の紙幣状態の補正が必要であるため、その旨を画面上に表示してもよい。
【００８１】
以上のようなリジェクト紙幣の再鑑別から始まる一連の処理を実行することにより、本実施例に係る紙幣取扱装置１０によれば、再鑑別で不良券が発生しない限り、係員による現物確認なしで、紙幣状態格納テーブルに格納されている不良券の紙幣状態やＡＴＭ管理有高の基礎となるデータを補正することができる。従って、係員に課される紙幣精査の作業負担をさらに軽減して、紙幣精査時間の短縮を図ることができる。
【００８２】
また、本実施例に係る紙幣取扱装置１０によれば、再鑑別で得られたデータと再鑑別前から紙幣状態格納テーブルに格納されているデータとを比較することにより、これらのデータ間の矛盾を検知することができる。このため、例えば、再鑑別のために行われる紙幣の再投入作業などで紙幣を紛失した場合などには、その異常を検出することが可能となる。従って、信頼性の高い補正処理が可能となる。
【符号の説明】
【００８３】
１０・・・紙幣取扱装置
１１・・・鑑別手段
１２・・・リジェクト紙幣収納手段
１３・・・紙幣状態格納手段
１４・・・紙幣状態記録手段
１５・・・表示手段
１６・・・補正手段
１７・・・入力手段
２０、１１２・・・制御部
２１・・・ホスト回線制御部
２２・・・監視系通信制御部
２３・・・外部機器制御部
２４・・・ＵＯＰ制御部
２５・・・ＵＳＢインターフェース
２６・・・ＨＵＢ
２７・・・補助記憶部
２７ａ・・・ＨＤＤ
２７ｂ・・・光学ドライブ
２８・・・ホスト回線部
３０、１２０・・・電源
４０・・・ＵＯＰ
４１、１１１・・・ＬＣＤ
４２・・・タッチパネル
４３・・・スピーカ
４４・・・顧客センサ
４５・・・取扱い表示部
４６・・・ハンドセット
４７・・・カメラ
４８・・・テンキー
５０・・・カード読取り印字部
６０・・・通帳印字部
７０・・・紙幣入出金部
７１・・・投入口
７２・・・鑑別部
７３・・・一時保留部
７４・・・取忘ボックス
７５・・・リジェクトボックス
７５ａ・・・紙幣入口
７６、７７ａ、７７ｂ・・・スタッカ
７８、７９・・・カセット
８０・・・硬貨入出金部
９０・・・ルータ／ＴＣ／ＧＷ
１００・・・監視システム
１１０・・・セカンドディスプレイ
１３０・・・ネットワークカメラ
１４０・・・モデム
【図１】
0005701795.tif 000002
【図２】
0005701795.tif 000003
【図３】
0005701795.tif 000004
【図４】
0005701795.tif 000005
【図５】
0005701795.tif 000006
【図６】
0005701795.tif 000007
【図７】
0005701795.tif 000008
【図８】
0005701795.tif 000009
【図９】
0005701795.tif 000010
【図１０】
0005701795.tif 000011
【図１１】
0005701795.tif 000012
【図１２】
0005701795.tif 000013
【図１３】
0005701795.tif 000014
【図１４】
0005701795.tif 000015
【図１５】
0005701795.tif 000016
【図１６】
0005701795.tif 000017
【図１７】
0005701795.tif 000018
【図１８】
0005701795.tif 000019
【図１９】
0005701795.tif 000020
【図２０】
0005701795.tif 000021
【図２１】
0005701795.tif 000022
【図２２】
0005701795.tif 000023
【図２３】
0005701795.tif 000024
【図２４】
0005701795.tif 000025
【図２５】
0005701795.tif 000026
【図２６】
0005701795.tif 000027
【図２７】
0005701795.tif 000028
【図２８】
0005701795.tif 000029
【図３３】
0005701795.tif 000030
【図３４】
0005701795.tif 000031
【図３５】
0005701795.tif 000032
【図３６】
0005701795.tif 000033
【図３７】
0005701795.tif 000034
【図３８】
0005701795.tif 000035
【図３９】
0005701795.tif 000036
【図４０】
0005701795.tif 000037
【図４１】
0005701795.tif 000038
【図４２】
0005701795.tif 000039
【図４３】
0005701795.tif 000040
【図４４】
0005701795.tif 000041
【図４５】
0005701795.tif 000042
【図２９】
0005701795.tif 000043
【図３０】
0005701795.tif 000044
【図３１】
0005701795.tif 000045
【図３２】
0005701795.tif 000046